(57)【要約】【課題】  デザイン的に見栄えがあり、簡単操作のプロジェクタを提供する。【解決手段】  プロジェクタにおいて、エンブレムを操作するだけで、製品の正立、倒立の天地方向のセッティングを完了する。【選択図】  図１
2005338139.tif 000002
【特許請求の範囲】
【請求項１】
正立、倒立設置できるプロジェクタにおいて、その正立、倒立に応じて投影画像を天地反転機能を有し、その投影画像の天地反転切替えを製品外装に配置された１８０度回転する切替えスイッチによって切替えをする事を特徴とするプロジェクタ。
【請求項２】
請求項１において前記切替えスイッチに製品名称、社名等を示すエンブレムが取り付けられていて、前記エンブレムは切替えスイッチの回転軸上に配置され、正立、倒立設置に対して前記切替えスイッチを切り替えた時に常にエンブレムだけは正立方向を示すように取り付けられた事を特徴とするプロジェクタ。
【請求項３】
請求項２において前記切替えスイッチによって製品内部の冷却モードを切り替えることを特徴とするプロジェクタ。
【発明の詳細な説明】
【技術分野】
【０００１】
本発明はプロジェクタに関するものである。
【背景技術】
【０００２】
従来はプロジェクタを正立状態に対して天井つり状態で画像を投影する時に、投影画像は正立投影出来るようにするために投影画像を天地反転切替えをする必要があった。その切替えはユーザーがプロジェクタの正立、倒立の設置状態をユーザー自身が判断し、切替えスイッチの状態を必要な方に切り替える必要があった。
【特許文献１】特開平０８−００９３０８号公報
【発明の開示】
【発明が解決しようとする課題】
【０００３】
しかしながら投影画像の正立、倒立方向にそれぞれに対応する切替えスイッチの方向に切り替えなければならず、操作が煩雑となっていた。
【０００４】
また、製品内部における冷却方法も天地が逆転するために空気の流れが変わってしまうため最適な冷却状態とはならなくなってしまう懸念があった。
【０００５】
また、倒立状態で設置されたプロジェクタのエンブレムもまた、倒立のままなので、見栄えが悪いものになってしまう不都合があった。
【課題を解決するための手段】
【０００６】
本発明はその点をかんがみ、前記切替えスイッチを製品外装に配置し、１８０度回転して切り替える切替えスイッチ構造とし、その回転軸上にエンブレムを配置する事で、正立、倒立の投影画像の切替えをエンブレムを正立、倒立に合わせて回転させるだけで、その切替え動作を完了し、かつエンブレムの正立方向の設定をも完了させるものである。
【０００７】
また、エンブレムの正立、倒立方向の設定に合わせて冷却モードを切り替えることで天地が反転されても最適な冷却方法を設定する事が可能となる。
【発明の効果】
【０００８】
以上説明したように、本発明によって簡単なスイッチの切替え動作だけによって、プロジェクタの正立、倒立の切替え動作を完了し、かつ倒立設置においても見栄えのするデザインを持つプロジェクタを提供する事が可能となった。
【０００９】
また、プロジェクタの設置状態に対して空気の流れを考慮した最適な冷却方法を設定する事が可能となった。
【発明を実施するための最良の形態】
【００１０】
プロジェクタ外装の正面に製品の名称、または製造業社名を表記したエンブレムが配置されている。本プロジェクタはその投影画像を正立画像、倒立画像の両方を切替えスイッチによって選択可能である。その切替えスイッチは１８０度回転型による切替えスイッチ構造となっており、回転軸上に前記エンブレムが取り付けられている。
【００１１】
前記エンブレムは正立状態において正立となるように上下方向を合わせるように回転させると、前記切替えスイッチはプロジェクタを正立画像となるようにスイッチの状態を設定する。また、冷却方法を切り替えることで最適な冷却方法を設定する事とする。
【実施例１】
【００１２】
本発明の説明を簡単にするために、プロジェクタの投影方向はＣＰＵによる制御を用いた方法を例に取って説明する。
【００１３】
図１は本発明を用いたプロジェクタのブロック図である。１はプロジェクタを制御するＣＰＵ、２はＣＰＵ１に電気的に接続されプロジェクタ本体の画像投影方向を決定するための切替えスイッチで正立状態でのスイッチ位置をａ、倒立状態でのスイッチ位置をｂとする。３は切替えスイッチ２に連結された１８０度回転する回転軸、４は回転軸３に連結されているエンブレムで、プロジェクタ本体の外装部分に配置される。プロジェクタ本体の正立状態でエンブレムの絵柄が正立方向を向く状態での切替えスイッチの状態をｃ、プロジェクタ本体の倒立状態で絵柄が正立方向に向く状態での切替えスイッチの状態をｄと示している。５は画像の成立、倒立の画像変換を行う画像処理ブロック、６は正立用冷却ファン、７は倒立用冷却ファンである。
【００１４】
エンブレム４は回転軸３によって切替えスイッチ２に連結されている。
【００１５】
今、プロジェクタ本体を正立状態で設置する場合を考える。エンブレム４を（ｃ）の状態に設定すると、回転軸３に連結された切替えスイッチ２の状態（ａ）をＣＰＵ１が読み取り、画像処理ブロック５の状態を正立画像投影状態に設定をする。
【００１６】
次にプロジェクタ本体を倒立状態で設置する場合を考える。エンブレム４を（ｄ）の状態に設定すると、回転軸３に連結された切替えスイッチ２に状態は（ｂ）となり、その状態（ｂ）をＣＰＵ１が読み取り、画像処理ブロック５の状態を倒立画像投影状態に設定する。
【００１７】
なお、上記の説明を外形から眺めた図面が図２、図３である。
【００１８】
図２はプロジェクタ本体を正面から見た外形図で、正立状態で設置し、エンブレムを状態（ｃ）に設定した場合である。８はプロジェクタ本体、９は投影レンズの開口部である。この場合、画像処理ブロック５は正立画像投影状態となる。プロジェクタ本体８の正立状態に対してエンブレム４も正立方向に設定してあるのでエンブレムの絵柄も正立方向を向いているので、プロジェクタ本体８として見栄えが良い状態を維持している。また、切替えスイッチが画像投影方向の上下天地と一致しているため、切替え操作も視覚的、直感的に理解しやすく簡単操作を提供する事が出来る。
【００１９】
同様に図３はプロジェクタ本体８を倒立状態で設置、エンブレムを（ｄ）に設定した場合である。この場合、画像処理ブロック５は倒立画像投影状態となる。プロジェクタ本体８は倒立方向を向いているが、エンブレム４はプロジェクタ本体８に対して倒立状態、結果的にプロジェクタ本体８を正面から見た外形図では、エンブレム４の絵柄は正立方向を向いているのでプロジェクタ本体８として見栄えが良い状態を維持している。また、切替えスイッチが画像投影方向の上下天地と一致しているため、切替え操作も視覚的、直感的に理解しやすく簡単操作を提供する事が出来る。
【００２０】
なお、本発明においてはＣＰＵを用いた制御を例にとって説明を行ったが、切替えスイッチと連動して投影方向が切り替わるならば、ＣＰＵを用いる事も無く、また、その変更方法も電気的信号処理、機械的な切替え動作、光学的な切替え動作、等に限定される事無く、同様な効果を得られる事は言うまでもない。
【実施例２】
【００２１】
本発明の説明を簡単にするために、プロジェクタの冷却方法はＣＰＵによる制御を用いた方法を例に取って説明する。
【００２２】
実施例１と同様に図１においてエンブレム４の状態に連動して切替えスイッチの状態が切り替わり、ＣＰＵ１がその状態を読み取るまでの動作は同じである。プロジェクタ本体８が正立方向を向いている時は切替えスイッチ２の状態は（ａ）である。それにしたがってＣＰＵ１は正立用冷却ファン６を動作させ、プロジェクタ本体８の正立状態の設置に対して最適な冷却方法を選択するように動作させる。
【００２３】
同様に図１においてプロジェクタ本体８が倒立方向を向いている時は切替えスイッチ２の状態は（ｂ）である。それにしたがってＣＰＵ１は倒立用冷却ファン７を動作させ、プロジェクタ本体８の正立状態の設置に対して最適な冷却方法を選択するように動作させる。
【００２４】
以上のようにプロジェクタ本体の設置方向が正立、倒立に対して最適な冷却方法をエンブレムに切替え動作のみで達成する事が出来、エンブレムの切替え操作の視覚的、直感的に理解しやすく簡単操作に相まって最適な冷却状態に切り替えることが可能となる。
【００２５】
なお、本発明においてはＣＰＵを用いた制御を例にとって説明を行ったが、切替えスイッチと連動して冷却方法が切り替わるならば、ＣＰＵを用いる事も無く、また、その変更方法も冷却ファンを切り替えるだけでなく、また、電気的信号処理、機械的な切替え動作、光学的な切替え動作、等に限定される事無く、同様な効果を得られる事は言うまでもない。
【図面の簡単な説明】
【００２６】
【図１】本発明を実施したブロック図。
【図２】本発明を実施した正立状態のプロジェクタを正面から見た外形図。
【図３】本発明を実施した倒立状態のプロジェクタを正面から見た外形図。
【符号の説明】
【００２７】
１  ＣＰＵ
２  切替えスイッチ
３  エンブレム
４  画像処理ブロック
５  冷却ファン
６  プロジェクタ
７  投影レンズ
８  冷却ファン
【図１】
2005338139.tif 000003
【図２】
2005338139.tif 000004
【図３】
2005338139.tif 000005